(57)【要約】【課題】ロック状態において特定処理を実行するための条件が成立したときに、ロック状態を容易に解除することができる携帯端末、携帯端末のロック状態を解除するための方法、および携帯端末のロック状態を解除するためのプログラムを提供する。【解決手段】携帯端末は、ユーザーからの入力に対応して特定される特定処理の実行が禁止されたロック状態において当該特定処理を実行するための条件が成立したときに、ユーザーが所有する認証情報記録体と近距離通信を行ない、当該認証情報記録体が記録するＩＤ情報を取得して、当該ＩＤ情報が正当である場合に、ロック状態を解除する。【選択図】図１
2013187879.tif 000002
【特許請求の範囲】
【請求項１】
ユーザからの入力を受付けるための入力手段と、
前記入力手段からの入力に対応して特定される特定処理を実行するための実行手段と、
前記特定処理の実行を禁止するためのロック制御手段と、
前記特定処理の実行が禁止されたロック状態において前記特定処理を実行するための条件が成立したときに、ユーザが所有する認証情報記録体と近距離通信を行なうための近距離通信手段と、
前記近距離通信手段による近距離通信によって、前記認証情報記録体に記録されている認証情報を取得するための認証情報取得手段と、
前記認証情報取得手段によって取得された前記認証情報が正当である場合に、前記ロック状態を解除するためのロック状態解除手段とを含む、携帯端末。
【請求項２】
前記近距離通信手段は、
電力を利用して前記認証情報記録体と近距離通信を行なうための近距離無線手段と、
前記電力を前記近距離無線手段に供給するための電力制御手段とを含み、
前記電力制御手段は、前記ロック状態において前記特定処理を実行するための条件が成立したときに、前記近距離無線手段に対して電力を供給する、請求項１に記載の携帯端末。
【請求項３】
前記電力制御手段は、前記ロック状態が解除された後に、近距離無線手段への電力供給を遮断する、請求項２に記載の携帯端末。
【請求項４】
前記認証情報記録体は、ＲＦＩＤ（radio frequency identification）タグを含む、請求項１〜３のいずれかに記載の携帯端末。
【請求項５】
前記認証情報を記録するための認証情報記録手段をさらに含み、
前記ロック状態解除手段は、前記認証情報取得手段により取得された認証情報と、前記認証情報記録手段に記録された認証情報とが一致するか否かを判定し、当該認証情報取得手段により取得された認証情報と、当該認証情報記録手段に記録された認証情報とが一致すると判定した場合に、前記ロック状態を解除する、請求項１〜４のいずれかに記載の携帯端末。
【請求項６】
前記認証情報を記録するための認証情報記録手段と、
前記認証情報取得手段により取得された認証情報と、前記認証情報記録手段に記録された認証情報とが一致するか否かを判定するための判定手段とをさらに含み、
前記ロック状態解除手段は、前記判定手段により、前記認証情報取得手段により取得された認証情報と、前記認証情報記録手段に記録された認証情報とが一致すると判定された場合に、前記ロック状態を解除する、請求項１〜４のいずれかに記載の携帯端末。
【請求項７】
前記認証情報取得手段により取得された認証情報と、前記認証情報記録手段に記録された認証情報とが一致するか否かの判定結果を表示するための表示手段をさらに含む、請求項５または６に記載の携帯端末。
【請求項８】
前記ロック制御手段は、前記入力手段による入力の受付けを禁止することにより、前記特定処理の実行を禁止する、請求項１〜７のいずれかに記載の携帯端末。
【請求項９】
前記ロック制御手段は、前記入力手段による入力が受付けられた場合でも、前記実行手段による前記特定処理の実行を無効化することにより、前記特定処理の実行を禁止する、請求項１〜７のいずれかに記載の携帯端末。
【請求項１０】
携帯端末のロック状態を解除するための方法であって、
ユーザからの入力を受付けるためのステップと、
ユーザからの入力に対応して特定される特定処理を実行するためのステップと、
前記特定処理の実行を禁止するためのステップと、
前記特定処理の実行が禁止されたロック状態において前記特定処理を実行するための条件が成立したときに、ユーザが所有する認証情報記録体と近距離通信を行なうためのステップと、
前記近距離通信によって、前記認証情報記録体に記録されている認証情報を取得するためのステップと、
取得された前記認証情報が正当である場合に、前記ロック状態を解除するためのステップとを含む、携帯端末のロック状態を解除するための方法。
【請求項１１】
携帯端末のロック状態を解除するためのプログラムであって、
前記プログラムは、前記携帯端末が備えるプロセッサに、
ユーザからの入力を受付けるためのステップと、
ユーザからの入力に対応して特定される特定処理を実行するためのステップと、
前記特定処理の実行を禁止するためのステップと、
前記特定処理の実行が禁止されたロック状態において前記特定処理を実行するための条件が成立したときに、ユーザが所有する認証情報記録体と近距離通信を行なうためのステップと、
前記近距離通信によって、前記認証情報記録体に記録されている認証情報を取得するためのステップと、
取得された前記認証情報が正当である場合に、前記ロック状態を解除するためのステップとを実行させる、携帯端末のロック状態を解除するためのプログラム。
【発明の詳細な説明】
【技術分野】
【０００１】
この発明は、携帯端末、携帯端末のロック状態を解除するための方法、および携帯端末のロック状態を解除するためのプログラムに関する。
【背景技術】
【０００２】
従来、携帯端末には、アドレス帳や受信メールなど、特定のユーザ以外には知られたくない情報が記録されている場合が多く、情報漏洩に気を使うユーザが多い。そのため、特定のユーザ以外には自分の携帯端末を勝手に使用されたくないという要望が多く、携帯端末のセキュリティ確保について、種々の提案がなされてきた。
【０００３】
たとえば、特許文献１（特開２０１１−４８５２３号公報）には、近距離無線通信による携帯無線端末同士におけるデータ交換において、指紋認証技術を用いることによって、意図しない相手へのデータ送信を防ぐ携帯無線端末が開示されている。
【０００４】
また、特許文献２（特開２００４−２８７７１３号公報）には、携帯電話機に貼付または装着されるＩＣタグと、当該ＩＣタグと通信するリーダライタとを有し、所定時間ごとに当該通信を繰り返して通信不可能となったときに警報を報知して利用者の忘れ物を防止することができるセキュリティシステムが開示されている。
【０００５】
また、特許文献３（特開２００６−２５９７８２号公報）には、ノート型パソコンなどのターゲットと近距離無線通信するコントローラを携帯電話機に搭載し、ターゲットとコントローラとが通信範囲内であり、かつ認証が一致すれば、ターゲットとコントローラ相互間でデータを更新することにより、端末の盗難があった場合でも、データの復元を可能とする機器盗難防止通信システムが開示されている。
【０００６】
また、特許文献４（特開２００８−１１８５１０号公報）には、携帯電話装置をロック状態に設定しているときに他の携帯電話装置から通話着信があった場合に、当該通話着信をハンズフリー装置に送信して、ハンズフリー装置による応答を可能とする電話装置が開示されている。
【先行技術文献】
【特許文献】
【０００７】
【特許文献１】特開２０１１−４８５２３号公報
【特許文献２】特開２００４−２８７７１３号公報
【特許文献３】特開２００６−２５９７８２号公報
【特許文献４】特開２００８−１１８５１０号公報
【発明の概要】
【発明が解決しようとする課題】
【０００８】
しかしながら、上記の従来技術においては、電話着信時における応答やメール受信時における受信メールの閲覧などのように、ユーザの入力に対応して特定される特定処理の実行を禁止するロック状態にすることができなかった。また、このような特定処理を実行するための条件が成立したときに、ロック状態を容易に解除できるものではなかった。そのため、携帯端末をロック状態にしてセキュリティを確保しても、特定処理を実行するための条件が成立したときには容易にロック状態を解除できず、ユーザの利便性が悪いという問題があった。
【０００９】
本発明は、かかる実情に鑑み考え出されたものであり、その目的は、ロック状態において特定処理を実行するための条件が成立したときに、ロック状態を容易に解除することができる携帯端末、携帯端末のロック状態を解除するための方法、および携帯端末のロック状態を解除するためのプログラムを提供することである。
【課題を解決するための手段】
【００１０】
一実施の形態に従う携帯端末は、ユーザからの入力を受付けるための入力手段と、入力手段からの入力に対応して特定される特定処理を実行するための実行手段と、特定処理の実行を禁止するためのロック制御手段と、特定処理の実行が禁止されたロック状態において特定処理を実行するための条件が成立したときに、ユーザが所有する認証情報記録体と近距離通信を行なうための近距離通信手段と、近距離通信手段による近距離通信によって、認証情報記録体に記録されている認証情報を取得するための認証情報取得手段と、認証情報取得手段によって取得された認証情報が正当である場合に、ロック状態を解除するためのロック状態解除手段とを含む。
【００１１】
好ましくは、近距離通信手段は、電力を利用して認証情報記録体と近距離通信を行なうための近距離無線手段と、電力を近距離無線手段に供給するための電力制御手段とを含み、電力制御手段は、ロック状態において特定処理を実行するための条件が成立したときに、近距離無線手段に対して電力を供給する。
【００１２】
好ましくは、電力制御手段は、ロック状態が解除された後に、近距離無線手段への電力供給を遮断する。
【００１３】
好ましくは、認証情報記録体は、ＲＦＩＤ（radio frequency identification）タグを含む。
【００１４】
好ましくは、携帯端末は、認証情報を記録するための認証情報記録手段をさらに含み、ロック状態解除手段は、認証情報取得手段により取得された認証情報と、認証情報記録手段に記録された認証情報とが一致するか否かを判定し、認証情報取得手段により取得された認証情報と、認証情報記録手段に記録された認証情報とが一致すると判定した場合に、ロック状態を解除する。
【００１５】
好ましくは、携帯端末は、認証情報を記録するための認証情報記録手段と、認証情報取得手段により取得された認証情報と、認証情報記録手段に記録された認証情報とが一致するか否かを判定するための判定手段とをさらに含み、ロック状態解除手段は、判定手段により、認証情報取得手段により取得された認証情報と、認証情報記録手段に記録された認証情報とが一致すると判定された場合に、ロック状態を解除する。
【００１６】
好ましくは、携帯端末は、認証情報取得手段により取得された認証情報と、認証情報記録手段に記録された認証情報とが一致するか否かの判定結果を表示するための表示手段をさらに含む。
【００１７】
好ましくは、携帯端末において、ロック制御手段は、入力手段による入力の受付けを禁止することにより、特定処理の実行を禁止する。
【００１８】
好ましくは、携帯端末において、ロック制御手段は、入力手段による入力が受付けられた場合でも、実行手段による特定処理の実行を無効化することにより、特定処理の実行を禁止する。
【００１９】
一実施の形態に従う携帯端末のロック状態を解除するための方法は、ユーザからの入力を受付けるためのステップと、ユーザからの入力に対応して特定される特定処理を実行するためのステップと、特定処理の実行を禁止するためのステップと、特定処理の実行が禁止されたロック状態において特定処理を実行するための条件が成立したときに、ユーザが所有する認証情報記録体と近距離通信を行なうためのステップと、近距離通信によって、認証情報記録体が記録する認証情報を取得するためのステップと、取得された認証情報が正当である場合に、ロック状態を解除するためのステップとを含む。
【００２０】
一実施の形態に従う携帯端末のロック状態を解除するためのプログラムは、携帯端末が備えるプロセッサに、ユーザからの入力を受付けるためのステップと、ユーザからの入力に対応して特定される特定処理を実行するためのステップと、特定処理の実行を禁止するためのステップと、特定処理の実行が禁止されたロック状態において特定処理を実行するための条件が成立したときに、ユーザが所有する認証情報記録体と近距離通信を行なうためのステップと、近距離通信によって、認証情報記録体が記録する認証情報を取得するためのステップと、取得された認証情報が正当である場合に、ロック状態を解除するためのステップとを実行させる。
【図面の簡単な説明】
【００２１】
【図１】本実施の形態における携帯端末においてロック状態を解除する様子を説明するための図である。
【図２】本実施の形態における携帯端末のハードウェアブロック図である。
【図３】本実施の形態における携帯端末の機能ブロック図である。
【図４】本実施の形態における液晶表示装置に表示されたペア設定画面の推移を説明するための図である。
【図５】本実施の形態におけるＣＰＵが実行するペア設定処理のフローチャート図である。
【図６】本実施の形態におけるＣＰＵが実行する着呼処理のフローチャート図である。
【図７】本実施の形態におけるＣＰＵが実行するメール受信処理のフローチャート図である。
【図８】本実施の形態におけるＣＰＵが実行する視聴処理のフローチャート図である。
【発明を実施するための形態】
【００２２】
以下、この発明の実施の形態について、図面を参照しながら詳細に説明する。なお、図中の同一または相当部分については、同一符号を付してその説明は繰返さない。
【００２３】
（本実施の形態の概要）
図１は、本実施の形態における携帯端末１０においてロック状態を解除する様子を説明するための図である。
【００２４】
図１に示すように、本実施の形態における携帯端末１０は、ユーザからの入力を受付けるためのタッチパネル１１およびボタン１２を備える。ユーザは、タッチパネル１１およびボタン１２を用いて携帯端末１０に対して種々の指令を入力することができる。携帯端末１０は、ユーザによってタッチパネル１１およびボタン１２から指令が入力されたことに基づき、当該入力に対応して特定される特定処理を実行する。
【００２５】
ここで、「特定処理」とは、電話着信時の通話モードへの移行、メール受信時の受信メールモードへの移行、およびワンセグによるテレビ放送の視聴予約に対するアラーム報知時の視聴モードへの移行などである。たとえば、携帯端末１０は、電話着信時にタッチパネル１１およびボタン１２を用いてユーザからの入力を受付けたときには、通話モードに移行して着呼の応答を可能とする。また、携帯端末１０は、メール受信時にユーザからの入力を受付けたときには、受信メールモードに移行してメールの閲覧を可能とする。また、携帯端末１０は、テレビ放送の視聴予約に対するアラーム報知時にユーザからの入力を受付けたときには、視聴モードに移行してテレビの視聴を可能とする。
【００２６】
また、携帯端末１０は、ユーザの操作によって上記の特定処理の実行を禁止することができる。なお、本実施の形態においては、特定処理の実行を禁止することをロック状態と称する。具体的に、ユーザは、携帯端末１０のタッチパネル１１およびボタン１２を操作することによって、電話着信時の通話モードへの移行、メール受信時の受信メールモードへの移行、およびテレビ放送の視聴予約に対するアラーム報知時の視聴モードへの移行を特定のユーザのみしかできないように携帯端末１０をロック状態にすることができる。これにより、特定のユーザ以外には知られたくない情報が携帯端末１０に記録されている場合でも、特定のユーザ以外には自分の携帯端末１０を勝手に使用されることがなく、携帯端末１０のセキュリティを確保することができる。
【００２７】
また、携帯端末１０は、後述する図４に示すペア設定画面において、特定のユーザのみがロック状態を解除できるように設定することが可能である。そして、特定のユーザがロック状態にある携帯端末１０を使用するときには、容易にロック状態を解除できるようになっている。
【００２８】
具体的に、ロック状態にある携帯端末１０において特定処理を実行するための条件が成立したときには、携帯端末１０は、ユーザが所有する腕時計に貼付けられた認証情報記録体５０と近距離通信を行なう。ここで、認証情報記録体５０は、ＲＦＩＤ（radio frequency identification）タグを少なくとも含み、簡易的にユーザの所有物に貼付けることが可能である。たとえば、腕時計のバンド、イヤリング、および指輪などに認証情報記録体５０を貼付けることができる。なお、「特定処理を実行するための条件が成立したとき」とは、たとえば、電話の着信時、メールの受信時、およびテレビ放送の視聴予約に対するアラーム報知時である。
【００２９】
携帯端末１０は、認証情報記録体５０と近距離通信をすることにより、認証情報記録体５０のＲＦＩＤタグが記録するＩＤ情報を取得する。ここで、認証情報記録体５０に含まれるＲＦＩＤタグは、ワンチップのＩＣ（Integrated Circuit）で構成されており、ＩＤ情報を記録することができる。本実施の形態におけるＲＦＩＤタグは、いわゆるパッシブタグと称されるものであり、携帯端末１０が備えるＲＦＩＤリーダ３０から送信される電波をエネルギー源として動作するため、電池を内蔵する必要がない。ＲＦＩＤタグは、ＲＦＩＤリーダ３０からの電波の一部を反射する際、記録されたＩＤ情報を反射波に乗せてＲＦＩＤリーダ３０に送信する。これにより、ＲＦＩＤリーダ３０の近距離通信範囲内にＲＦＩＤタグが存在していれば、近距離通信を行なうことで容易にＩＤ情報を取得することができる。そして、携帯端末１０は、上記のように近距離通信によって取得したＩＤ情報と、図４のペア設定画面で予め設定されたＩＤ情報とが一致するか否かを判定し、当該判定結果が正当である場合に、ロック状態を解除する。
【００３０】
なお、「ＩＤ情報」とは、たとえば、携帯端末１０の使用が許可されるユーザを特定することが可能な認証情報である。本実施の形態における携帯端末１０は、図４のペア設定画面で予め設定することにより、後述するＲＡＭ（Random Access Memory）１４にＩＤ情報を記録しておくことができ、ユーザの所有物に貼付けられた認証情報記録体５０が記録するＩＤ情報と比較することによって、携帯端末１０の使用許可があるユーザであるか否かを特定することができる。
【００３１】
具体的に、図１に示す例を用いて本実施の形態の概要を説明する。図１に示すように、携帯端末１０は、ロック状態において電話の着信があったときには、ＲＦＩＤリーダ３０によって、ユーザが所有する腕時計に貼付けられた認証情報記録体５０と近距離通信を行なう。そして、携帯端末１０は、認証情報記録体５０に記録されたＩＤ情報が予めＲＡＭ１４に記録されたＩＤ情報と一致するか否かを判定し、当該判定結果が一致すると判定した場合に、ロック状態を解除して通話モードへの移行を可能とする。
【００３２】
このように、本実施の形態の携帯端末１０によれば、ユーザからの入力に対応して特定される特定処理の実行が禁止されるロック状態であっても、特定処理を実行するための条件が成立したときには、ユーザが所有する認証情報記録体５０と近距離通信が行なわれてＩＤ情報が取得され、当該ＩＤ情報が正当である場合にロック状態が解除される。これにより、特定処理を実行するための条件が成立したときに近距離通信できる範囲内でユーザが認証情報記録体５０を所有していれば、自動的にロック状態を解除することができるため、ユーザの利便性を向上させることができる。
【００３３】
なお、従来では、ブルートゥース（Bluetooth（登録商標））を用いて、携帯端末のロック状態の解除を行なうものがある。たとえば、専用のアプリケーションを携帯端末にダウンロードし、特定のブルートゥース通信機能搭載機器との間で予め設定することにより、ブルートゥース通信が可能であればロック状態の解除を行なう一方、ブルートゥース通信が不可能であればロック状態の解除をさせないものである。しかしながら、上記の方法であると、子機であるブルートゥース通信機能搭載機器には電池が必要であり、電池が無くなってしまうと、ブルートゥース通信が不可能となり、その結果、携帯端末の所有者であってもロック状態を解除できなくなってしまう。しかしながら、本実施の形態のように、ＲＦＩＤタグを用いることにより、ユーザの所有物に簡易的に貼付けることができ、さらに、電力供給する必要なく携帯端末１０と近距離通信を行なうことが可能であるため、よりユーザの利便性が向上する。
【００３４】
（携帯端末のハードウェア構成）
次に、本実施の形態における携帯端末１０のハードウェア構成について説明する。図２は、本実施の形態における携帯端末１０のハードウェアブロック図である。
【００３５】
図２に示すように、携帯端末１０は、タッチパネル１１、ボタン１２、ＲＯＭ（Read Only Memory）１３、ＲＡＭ１４、ＣＰＵ（Central Processing Unit）１５、液晶表示装置１６、マイク１７、スピーカ１８、メイン通信装置２０、およびＲＦＩＤリーダ３０を含む。
【００３６】
タッチパネル１１は、ユーザの指や付属のタッチペンによって表面の導電膜をタッチすることにより、ユーザからの入力を受付け、当該入力情報に基づく電気信号をＣＰＵ１５に出力する。具体的に、タッチパネル１１は、液晶表示装置１６の画面上に貼合わされており、液晶表示装置１６の画面に表示される表示画像は、タッチパネル１１を介してユーザが視認可能になっている。ユーザは、タッチパネル１１に表示されたアイコン、ダイヤルキー、十字キー、およびその他のファンクションキーを指や付属のタッチペンで押圧操作することにより、押圧された箇所に対応する指令を入力することができる。ボタン１２は、ユーザの指などによる押圧操作により、ユーザからの入力を受付け、当該入力情報に基づく電気信号をＣＰＵ１５に出力する。本実施の形態においては、タッチパネル１１およびボタン１２を用いることにより、電話着信時の通話モードへの移行、メール受信時の受信メールモードへの移行、およびテレビ放送の視聴予約に対するアラーム報知時の視聴モードへの移行を携帯端末１０にさせることができる。
【００３７】
ＲＯＭ１３は、ＣＰＵ１５によって実行される各種処理に関するプログラム、および当該プログラムを実行する際に用いる各種のデータテーブルを格納する。
【００３８】
ＲＡＭ１４は、ＣＰＵ１５によって実行される各種処理に関するプログラム、およびプログラムを実行する際に用いる各種のデータテーブルを格納する。本実施の形態において、ＲＡＭ１４には、後述する図５のペア設定処理、図６の着呼処理、図７のメール受信処理、および図８の視聴処理を実行するためのプログラムが少なくとも格納される。また、ＲＡＭ１４には、当該プログラムを実行する際に用いるデータテーブルが少なくとも格納されており、当該データテーブルの中には、ペア設定画面において設定されたＩＤ情報を記憶するためのテーブルが少なくとも含まれる。
【００３９】
なお、ＲＯＭ１３およびＲＡＭ１４は、携帯端末１０の本体から着脱可能な記録媒体によって実現されても良い。また、記録媒体としては、ＣＤ−ＲＯＭ（Compact Disk - Read Only Memory）、ＤＶＤ−ＲＯＭ（Digital Versatile Disk - Read Only Memory）、ＵＳＢ（Universal Serial Bus）メモリ、メモリカード、ＦＤ（Flexible Disk）、ハードディスク、磁気テープ、カセットテープ、ＭＯ（Magnetic Optical Disk）、ＭＤ（Mini  Disk）、ＩＣ（Integrated Circuit）カード（メモリカードを除く）、光カード、マスクＲＯＭ、ＥＰＲＯＭ、ＥＥＰＲＯＭ（Electronically Erasable Programmable Read Only Memory）などの、不揮発的にプログラムやデータを格納する媒体であってもよい。
【００４０】
ＣＰＵ１５は、ＲＯＭ１３およびＲＡＭ１４に格納されたプログラムに基づく処理を実行する。本実施の形態におけるＣＰＵ１５は、特に、ＲＡＭ１４に格納されたプログラムを実行することにより、少なくとも図５のペア設定処理、図６の着呼処理、図７のメール受信処理、および図８の視聴処理を実行する。
【００４１】
液晶表示装置１６は、たとえば、電話の着信画面、メールの受信画面、テレビ放送画面、および後述する図４のペア設定画面などの各種画面を表示する。また、本実施の形態において、液晶表示装置１６は、ＲＦＩＤリーダ３０により取得されたＩＤ情報と、ＲＡＭ１４が記録するＩＤ情報とが一致するか否かの判定結果を少なくとも表示する。
【００４２】
マイク１７は、ユーザなどが発する音声が外部から入力された際、音情報を受付ける。
スピーカ１８は、外部に対して音を出力する。また、本実施の形態において、スピーカ１８は、テレビ放送の視聴予約の時間に到達したときにアラーム音を少なくとも出力する。
【００４３】
メイン通信装置２０は、無線アンテナ２１およびメイン通信電源２２を少なくとも含む。無線アンテナ２１は、ＣＰＵ１５の制御に基づいて外部と通信することにより、文字、音声、画像、動画などに関する情報を送受信する。本実施の形態において、無線アンテナ２１は、電話着信応答に関する情報、メール送受信に関する情報、およびテレビ放送に関する情報などを少なくとも送受信する。メイン通信電源２２は、ＣＰＵ１５の制御に基づき、無線アンテナ２１を駆動する電力を供給し、または当該供給を遮断する。
【００４４】
ＲＦＩＤリーダ３０は、近距離無線アンテナ３１および近距離通信電源３２を少なくとも含む。近距離無線アンテナ３１は、ＣＰＵ１５の制御に基づいて通信範囲内にある認証情報記録体５０と近距離通信を行ない、認証情報記録体５０が記録するＩＤ情報を取得する。近距離通信電源３２は、ＣＰＵ１５の制御に基づき、近距離無線アンテナ３１を駆動する電力を供給し、または当該供給を遮断する。本実施の形態において、近距離通信電源３２は、通常時であれば近距離無線アンテナ３１への電力供給を遮断しているが、電話の着信時、メールの受信時、およびテレビ放送の視聴予約に対するアラーム報知時などのように、特定処理を実行するための条件が成立したときには、近距離無線アンテナ３１への電力供給を開始する。
【００４５】
（携帯端末の機能ブロック構成）
次に、本実施の形態における携帯端末１０の機能ブロック構成について説明する。図３は、本実施の形態における携帯端末１０の機能ブロック図である。
【００４６】
図３に示すように、携帯端末１０は、入力部１９０、記録部１３０、制御部１５０、液晶表示部１６０、音入力部１７０、音出力部１８０、メイン通信部２００、および近距離通信部３００の各種機能を有する。
【００４７】
入力部１９０は、タッチセンサ１１０およびボタンセンサ１２０を含む。タッチセンサ１１０は、たとえば、タッチパネル１１によって実現される。タッチセンサ１１０は、ユーザからの入力を受付け、当該入力情報に基づく電気信号を制御部１５０に出力する。ボタンセンサ１２０は、たとえば、ボタン１２によって実現される。ボタンセンサ１２０は、ユーザからの入力を受付け、当該入力情報に基づく電気信号を制御部１５０に出力する。
【００４８】
記録部１３０は、たとえば、ＲＯＭ１３およびＲＡＭ１４によって実現される。記録部１３０は、各種情報を保持する。本実施の形態において、記録部１３０は、図５のペア設定処理、図６の着呼処理、図７のメール受信処理、図８の視聴処理を実行するためのプログラム、およびユーザが所有する認証情報記録体５０から取得したＩＤ情報を少なくとも記録する。
【００４９】
制御部１５０は、たとえば、ＣＰＵ１５によって実現される。制御部１５０は、表示制御部１５１、メイン通信制御部１５２、実行部１５３、近距離通信制御部１５５、ロック制御部１５６、および記録制御部１５７を含む。
【００５０】
表示制御部１５１は、液晶表示部１６０に、各種画面を表示させる。本実施の形態において、表示制御部１５１は、近距離通信部３００により取得されたＩＤ情報と、記録部１３０が記録するＩＤ情報とが一致するか否かの判定結果を少なくとも液晶表示部１６０に表示させる。また、表示制御部１５１は、図４のペア設定画面に示すように、後述するペア設定画面を液晶表示部１６０に表示させる。
【００５１】
メイン通信制御部１５２は、メイン通信部２００に、文字、音声、画像、動画などに関する情報を外部に対して送受信させる。具体的に、メイン通信制御部１５２は、メイン通信電源部２２０を制御してメイン無線部２１０に対して電力を供給したり、遮断したりさせる。また、メイン通信制御部１５２は、メイン無線部２１０を制御して、外部に対して通信させる。
【００５２】
実行部１５３は、入力部１９０からの入力に対応して特定される特定処理を実行する。具体的に、実行部１５３は、入力部１９０からの入力に対応して記録部１３０が記録する各種プログラムを実行することにより、電話着信時の通話モードへの移行、メール受信時の受信メールモードへの移行、およびテレビ放送の視聴予約に対するアラーム報知時の視聴モードへの移行などの特定処理を少なくとも実行する。また、実行部１５３は、音入力部１７０から受付けられた音情報に基づき、メイン通信部２００を制御して、当該受付けた音情報を通信相手に送信する通話処理を実行する。また、実行部１５３は、テレビの視聴予約の時間に到達したときに、音出力部１８０に、アラーム音を出力させる。
【００５３】
近距離通信制御部１５５は、近距離通信部３００を制御して、ロック状態において特定処理を実行するための条件が成立したときに、ユーザが所有する認証情報記録体５０と近距離通信を行なわせ、認証情報記録体５０が記録するＩＤ情報を近距離通信部３００に取得させる。具体的に、近距離通信制御部１５５は、ロック状態において特定処理を実行するための条件が成立したときに、近距離通信電源部３２０を制御して近距離無線部３１０に対して電力を供給する。そして、近距離通信制御部１５５は、電力が供給された近距離無線部３１０を制御して、ユーザが所有する認証情報記録体５０と近距離通信し、認証情報記録体５０が記録するＩＤ情報を近距離無線部３１０に取得する。さらに、近距離通信制御部１５５は、後述するロック制御部１５６によってロック状態が解除された後に、近距離通信電源部３２０を制御して近距離無線部３１０に対する電力を遮断する。
【００５４】
ロック制御部１５６は、電話着信時の通話モードへの移行、メール受信時の受信メールモードへの移行、およびテレビ放送の視聴予約に対するアラーム報知時の視聴モードへの移行などの特定処理の実行を禁止する。具体的に、ロック制御部１５６は、入力部１９０を制御して、タッチセンサ１１０およびボタンセンサ１２０によるユーザからの入力受付を禁止することにより、特定処理の実行を禁止する。一方、ロック制御部１５６は、近距離通信部３００により取得されたＩＤ情報と、記録部１３０によって記録されたＩＤ情報とが一致するか否かを判定し、当該判定結果が一致すると判定した場合に、入力部１９０を制御して、タッチセンサ１１０およびボタンセンサ１２０によるユーザからの入力受付を有効化してロック状態を解除する。
【００５５】
記録制御部１５７は、記録部１３０に各種情報を記録させるとともに、記録部１３０が記録する各種情報を読み出す。本実施の形態において、記録制御部１５７は、近距離通信部３００による近距離通信によって、認証情報記録体５０から取得したＩＤ情報を少なくとも記録部１３０に記録させる。
【００５６】
液晶表示部１６０は、たとえば、液晶表示装置１６によって実現される。液晶表示部１６０は、各種画面を表示する。本実施の形態において、液晶表示部１６０は、近距離通信部３００により取得されたＩＤ情報と、記録部１３０が記録するＩＤ情報とが一致するか否かの判定結果を少なくとも表示する。また、液晶表示部１６０は、図４のペア設定画面を表示する。
【００５７】
音入力部１７０は、たとえば、マイク１７によって実現される。音入力部１７０は、外部から入力された音情報を受付け、実行部１５３が処理できる電気信号に変換し、当該電気信号を実行部１５３に出力する。
【００５８】
音出力部１８０は、たとえば、スピーカ１８によって実現される。音出力部１８０は、実行部１５３からの電気信号に基づく音情報を受けて、当該音情報に基づく音を外部に対して出力する。本実施の形態において、音出力部１８０は、実行部１５３の制御に基づき、テレビ放送の視聴予約の時間に到達したときにアラーム音を少なくとも出力する。
【００５９】
メイン通信部２００は、たとえば、メイン通信装置２０によって実現される。メイン通信部２００は、メイン無線部２１０およびメイン通信電源部２２０を含む。メイン無線部２１０は、たとえば、無線アンテナ２１によって実現される。メイン無線部２１０は、メイン通信制御部１５２の制御に基づき、外部に対して通信することにより、文字、音声、画像、動画などに関する情報を送受信する。メイン通信電源部２２０は、たとえば、メイン通信電源部によって実現される。メイン通信電源部２２０は、メイン通信制御部１５２の制御に基づき、メイン無線部２１０に対して電力を供給し、または当該供給を遮断する。
【００６０】
近距離通信部３００は、たとえば、ＲＦＩＤリーダ３０によって実現される。近距離通信部３００は、近距離無線部３１０および近距離通信電源部３２０を含む。近距離通信電源部３２０は、たとえば、近距離通信電源３２によって実現される。近距離無線部３１０は、たとえば、近距離無線アンテナ３１によって実現される。本実施の形態において、近距離通信部３００は、特定処理の実行が禁止されたロック状態において特定処理を実行するための条件が成立したときに、ユーザが所有する認証情報記録体５０と近距離通信を行ない、当該近距離通信によって、認証情報記録体５０が記録するＩＤ情報を取得する。具体的に、近距離通信電源部３２０は、ロック状態において特定処理を実行するための条件が成立したときに、近距離通信制御部１５５の制御に基づき、近距離無線部３１０に対して電力を供給する。そして、電力が供給された近距離無線部３１０は、近距離通信制御部１５５の制御に基づき、ユーザが所有する認証情報記録体５０と近距離通信を行ない、認証情報記録体５０が記録するＩＤ情報を取得する。さらに、近距離通信制御部１５５は、その後、ロック制御部１５６によってロック状態が解除された後に、近距離通信制御部１５５の制御に基づき、近距離無線部３１０に対する電力を遮断する。
【００６１】
（ペア設定画面の推移）
次に、液晶表示装置１６に表示されたペア設定画面の推移を説明する。ここで、ペア設定画面とは、ユーザが所有する認証情報記録体５０に記録されたＩＤ情報を予め携帯端末１０のＲＡＭ１４に記録しておくことにより、ロック状態の解除を容易にするための設定画面である。なお、本実施の形態においては、ＩＤ情報を予め携帯端末１０に記録して、当該ＩＤ情報と携帯端末１０とを対応づけておくことをペアリングと称する。
【００６２】
図４は、本実施の形態における液晶表示装置１６に表示されたペア設定画面の推移を説明するための図である。
【００６３】
画面Ａは、ペアリングを追加するか、もしくは過去に行なっていたペアリングを解除するかを選択するペア設定画面である。この画面において、ユーザは、所有する認証情報記録体５０に記録されたＩＤ情報を用いて、携帯端末１０とペアリングさせるか否かを選択することができる。
【００６４】
次に、ユーザが、タッチパネル１１やボタン１２を用いてペアリングを追加することを選択した場合には、画面Ａから画面Ｂに移行される。画面Ｂにおいては、「ペアリングするものを本体に近づけてください」といったメッセージが表示される。
【００６５】
次に、ユーザが、ＩＤ情報が記録された認証情報記録体５０を携帯端末１０本体に近付けてＲＦＩＤリーダ３０によって近距離通信が可能となると、画面Ｂから画面Ｃに移行される。画面Ｃにおいては、「ペアリングできました」といったメッセージが表示される。これにより、ユーザは所有する認証情報記録体５０のＩＤ情報と携帯端末１０とがペアリングされたことを確認することができる。
【００６６】
一方、ユーザが、認証情報記録体５０を携帯端末１０本体に近付けられなかった場合は、ＲＦＩＤリーダ３０による近距離通信が不可能となり、画面Ｂから画面Ｄに移行される。画面Ｄにおいては、「ペアリングするものが確認できませんでした」といったメッセージが表示される。これにより、ユーザは所有する認証情報記録体５０のＩＤ情報と携帯端末１０とがペアリングできなかったことを確認することができる。
【００６７】
一方、画面Ａにおいて、ユーザが、過去に行なっていたペアリングを解除することを選択した場合には、画面Ａから画面Ｅに移行される。画面Ｅにおいては、「ペアリング解除しました」といったメッセージが表示される。これにより、ユーザは過去にペアリングを行なっていたＩＤ情報を削除してペアリングを解除したことを確認することができる。
【００６８】
（ペア設定処理）
次に、図５を参照して、ＣＰＵ１５が実行するペア設定処理について説明する。図５は、本実施の形態におけるＣＰＵ１５が実行するペア設定処理のフローチャート図である。
【００６９】
ペア設定処理が実行されると、ステップＳ５１０において、ＣＰＵ１５は、図４に示したペア設定画面を液晶表示装置１６に表示する。
【００７０】
次に、ステップＳ５２０において、ＣＰＵ１５は、ユーザによってペアリングの追加選択がされたか否かを判定する。ＣＰＵ１５は、ペアリングの追加選択がされたと判定したときには（ステップＳ５２０においてＹＥＳ）、ステップＳ５３０において、ＲＦＩＤリーダ３０に電力を供給する。
【００７１】
一方、ＣＰＵ１５は、ペアリングの追加選択がされなかったと判定したときには（ステップＳ５２０においてＮＯ）、ステップＳ５７０において、ペアリングを解除するため、ＲＡＭ１４に記録していたＩＤ情報を削除し、ステップＳ５８０の処理に移行する。
【００７２】
また、ステップＳ５３０の処理の後、ステップＳ５４０において、ＣＰＵ１５は、認証情報記録体５０との間で近距離通信が確立したか否かを判定する。ＣＰＵ１５は、認証情報記録体５０との間で近距離通信できたと判定したときには（ステップＳ５４０においてＹＥＳ）、ステップＳ５５０において、認証情報記録体５０が記録するＩＤ情報を読み取って取得する。
【００７３】
一方、ＣＰＵ１５は、認証情報記録体５０との間で近距離通信ができなかったと判定したときには（ステップＳ５４０においてＮＯ）、再びステップＳ５１０の処理に移行する。
【００７４】
また、ステップＳ５５０の処理の後、ステップＳ５６０において、ＣＰＵ１５は、認証情報記録体５０から取得したＩＤ情報をＲＡＭ１４に記録する。
【００７５】
次に、ステップＳ５８０において、ＣＰＵ１５は、ＲＦＩＤリーダ３０の電力を遮断し、ペア設定処理を終了する。
【００７６】
（着呼処理）
次に、図６を参照して、ＣＰＵ１５が実行する着呼処理について説明する。図６は、本実施の形態におけるＣＰＵ１５が実行する着呼処理のフローチャート図である。
【００７７】
着呼処理が実行されると、ステップＳ６１０において、ＣＰＵ１５は、着呼があったか否かを判定する。ＣＰＵ１５は、着呼があったと判定したときには（ステップＳ６１０においてＹＥＳ）、ステップＳ６２０において、ＲＦＩＤリーダ３０に電力を供給する。
【００７８】
一方、ＣＰＵ１５は、着呼がないと判定したときには（ステップＳ６１０においてＮＯ）、着呼処理を終了する。
【００７９】
また、ステップＳ６２０の処理の後、ステップＳ６３０において、ＣＰＵ１５は、認証情報記録体５０との間で近距離通信が確立したか否かを判定する。ＣＰＵ１５は、認証情報記録体５０との間で近距離通信できたと判定したときには（ステップＳ６３０においてＹＥＳ）、ステップＳ６４０において、ペアリング認証できたか否かを判定する。つまり、ＣＰＵ１５は、ペアリング設定によって予め記録していたＩＤ情報と、認証情報記録体５０から取得したＩＤ情報とが一致するか否かを判定する。
【００８０】
一方、ＣＰＵ１５は、認証情報記録体５０との間で近距離通信できなかったと判定したときには（ステップＳ６３０においてＮＯ）、ステップＳ６７０において、携帯端末１０をロック状態とし、ステップＳ６８０の処理に移行する。
【００８１】
また、ＣＰＵ１５は、ペアリング認証できたと判定したときには（ステップＳ６４０においてＹＥＳ）、ステップＳ６５０において、携帯端末１０のロック状態を解除する。
【００８２】
一方、ＣＰＵ１５は、ペアリング認証できなかったと判定したときには（ステップＳ６４０においてＮＯ）、ステップＳ６７０、ステップＳ６８０の処理に移行する。
【００８３】
また、ステップＳ６５０の処理の後、ステップＳ６６０において、ＣＰＵ１５は、通話モードに処理を移行する。
【００８４】
次に、ステップＳ６８０において、ＣＰＵ１５は、ＲＦＩＤリーダ３０の電力を遮断し、着呼処理を終了する。
【００８５】
（メール受信処理）
次に、図７を参照して、ＣＰＵ１５が実行するメール受信処理について説明する。図７は、本実施の形態におけるＣＰＵ１５が実行するメール受信処理のフローチャート図である。
【００８６】
メール受信処理が実行されると、ステップＳ７１０において、ＣＰＵ１５は、メール受信があったか否かを判定する。ＣＰＵ１５は、メール受信があったと判定したときには（ステップＳ７１０においてＹＥＳ）、ステップＳ７１５において、ＲＦＩＤリーダ３０に電力を供給する。
【００８７】
一方、ＣＰＵ１５は、メール受信がなかったと判定したときには（ステップＳ７１０においてＮＯ）、メール受信処理を終了する。
【００８８】
また、ステップＳ７１５の処理の後、ステップＳ７２０において、ＣＰＵ１５は、認証情報記録体５０との間で近距離通信が確立したか否かを判定する。ＣＰＵ１５は、認証情報記録体５０との間で近距離通信できたと判定したときには（ステップＳ７２０においてＹＥＳ）、ステップＳ７２５において、ペアリング認証できたか否かを判定する。
【００８９】
一方、ＣＰＵ１５は、認証情報記録体５０との間で近距離通信できなかったと判定したときには（ステップＳ７２０においてＮＯ）、ステップＳ７６０において、ＲＦＩＤリーダ３０の電力を遮断する。その後、ステップＳ７６５において、ＣＰＵ１５は、携帯端末１０をロック状態とし、メール受信処理を終了する。
【００９０】
また、ステップＳ７２５において、ＣＰＵ１５は、ペアリング認証できたと判定したときには（ステップＳ７２５においてＹＥＳ）、ステップＳ７３０において、携帯端末１０のロック状態を解除する。
【００９１】
一方、ＣＰＵ１５は、ペアリング認証できなかったと判定したときには（ステップＳ７２５においてＮＯ）、ステップＳ７６０、ステップＳ７６５の処理に移行して、メール受信処理を終了する。
【００９２】
また、ステップＳ７３０の処理の後、ステップＳ７３５において、ＣＰＵ１５は、ＲＦＩＤリーダ３０の電力を遮断する。その後、ステップＳ７４０において、ＣＰＵ１５は、受信メールモードに移行する。
【００９３】
次に、ステップＳ７４５において、ＣＰＵ１５は、受信した新着メールが１件であったか否かを判定する。ＣＰＵ１５は、受信した新着メールが１件であったと判定したときには（ステップＳ７４５においてＹＥＳ）、ステップＳ７５０において、受信したメールの本文を液晶表示装置１６に表示させる。その後、メール受信処理を終了する。
【００９４】
一方、ＣＰＵ１５は、受信した新着メールが１件ではないと判定したときには（ステップＳ７４５においてＮＯ）、複数の新着メールがあるため、ステップＳ７５５において、当該複数の新着メールの一覧を液晶表示装置１６に表示させる。その後、メール受信処理を終了する。
【００９５】
（視聴処理）
次に、図８を参照して、ＣＰＵ１５が実行する視聴処理について説明する。図８は、本実施の形態におけるＣＰＵ１５が実行する視聴処理のフローチャート図である。
【００９６】
視聴処理が実行されると、ステップＳ８１０において、ＣＰＵ１５は、視聴開始時刻になったか否かを判定する。つまり、ＣＰＵ１５は、ユーザによって予め予約設定されたテレビの視聴予約の時間に到達したか否かを判定する。ＣＰＵ１５は、テレビの視聴予約の時間に到達したと判定したときには（ステップＳ８１０においてＹＥＳ）、ステップＳ８１５において、スピーカ１８からアラーム音を報知させる。
【００９７】
一方、ＣＰＵ１５は、テレビの視聴予約の時間に到達していないと判定したときには（ステップＳ８１０においてＮＯ）、視聴処理を終了する。
【００９８】
また、ステップＳ８１５の処理の後、ステップＳ８２０において、ＣＰＵ１５は、ＲＦＩＤリーダ３０に電力を供給する。
【００９９】
次に、ステップＳ８２５において、ＣＰＵ１５は、認証情報記録体５０との間で近距離通信できか否かを判定する。ＣＰＵ１５は、認証情報記録体５０との間で近距離通信できたと判定したときには（ステップＳ８２５においてＹＥＳ）、ステップＳ８３０において、ペアリング認証できたか否かを判定する。
【０１００】
一方、ＣＰＵ１５は、認証情報記録体５０との間で近距離通信できなかったと判定したときには（ステップＳ８２５においてＮＯ）、ステップＳ８５０において、携帯端末１０をロック状態とし、ステップＳ８６０の処理に移行する。
【０１０１】
また、ＣＰＵ１５は、ペアリング認証できたと判定したときには（ステップＳ８３０においてＹＥＳ）、ステップＳ８３５において、携帯端末１０のロック状態を解除する。
【０１０２】
一方、ＣＰＵ１５は、ペアリング認証できなかったと判定したときには（ステップＳ８３０においてＮＯ）、ステップＳ８５０、ステップＳ８６０の処理に移行する。
【０１０３】
次に、ステップＳ８３５の処理の後、ステップＳ８４０において、ＣＰＵ１５は、テレビの視聴モードに移行する。その後、ステップＳ８６０において、ＣＰＵ１５は、スピーカ１８から報知させていたアラーム音を停止させる。
【０１０４】
次に、ステップＳ８７０において、ＣＰＵ１５は、ＲＦＩＤリーダ３０の電力を遮断し、視聴処理を終了する。
【０１０５】
以上のように、本実施の形態実施に係る携帯端末１０は、ユーザからの入力を受付けるための入力部１９０（タッチパネル１１およびボタン１２）と、入力部１９０からの入力に対応して特定される特定処理（たとえば、電話着信時の通話モードへの移行、メール受信時の受信メールモードへの移行、およびテレビ放送の視聴予約に対するアラーム報知時の視聴モードへの移行）を実行するための実行部１５３（ＣＰＵ１５）と、特定処理の実行を禁止するためのロック制御部１５６（ＣＰＵ１５）と、特定処理の実行が禁止されたロック状態において特定処理を実行するための条件が成立したとき（たとえば、電話の着信時、メールの受信時、およびテレビ放送の視聴予約に対するアラーム報知時）に、ユーザが所有する認証情報記録体５０と近距離通信を行なうための近距離通信制御部１５５（ＣＰＵ１５）および近距離通信部３００（ＲＦＩＤリーダ３０）と、近距離通信制御部１５５および近距離通信部３００による近距離通信によって、認証情報記録体５０に記録されているＩＤ情報を取得するための近距離通信制御部１５５（ＣＰＵ１５）および近距離通信部３００（ＲＦＩＤリーダ３０）と、近距離通信制御部１５５および近距離通信部３００によって取得されたＩＤ情報が正当である場合に、ロック状態を解除するためのロック制御部１５６（ＣＰＵ１５）とを含む。
【０１０６】
本実施の形態によれば、ユーザからの入力に対応して特定される特定処理の実行が禁止されるロック状態であっても、特定処理を実行するための条件が成立したときには、ユーザが所有する認証情報記録体５０と近距離通信が行なわれてＩＤ情報が取得され、当該ＩＤ情報が正当である場合にロック状態が解除される。これにより、特定処理を実行するための条件が成立したときに近距離通信できる範囲内でユーザが認証情報記録体５０を所有していれば、自動的にロック状態を解除することができるため、ユーザの利便性を向上させることができる。
【０１０７】
また、本実施の形態実施に係る携帯端末１０において、近距離通信部３００（ＲＦＩＤリーダ３０）は、電力を利用して認証情報記録体５０と近距離通信を行なうための近距離無線部３１０（近距離無線アンテナ３１）と、電力を近距離無線部３１０に供給するための近距離通信電源部３２０（近距離通信電源３２）とを含み、近距離通信電源部３２０は、ロック状態において特定処理を実行するための条件が成立したときに、近距離無線部３１０に対して電力を供給する。
【０１０８】
本実施の形態によれば、ロック状態において特定処理を実行するための条件が成立したときに、近距離無線部３１０に電力が供給されて認証情報記録体５０と近距離通信が行なわれる。これにより、特定処理を実行するための条件が成立するまでは、近距離無線部３１０の電力が掛からないので、その分消費電力を抑えることができる。
【０１０９】
また、本実施の形態実施に係る携帯端末１０において、近距離通信電源部３２０は、ロック状態が解除された後に、近距離無線部３１０への電力供給を遮断する。
【０１１０】
本実施の形態によれば、ロック状態が解除された後に、近距離無線部３１０への電力供給が遮断される。これにより、ロック状態を解除するとき以外は、近距離無線部３１０の電力が掛からないので、その分消費電力を抑えることができる。
【０１１１】
また、本実施の形態実施に係る携帯端末１０において、認証情報記録体５０は、ＲＦＩＤタグを含む。
【０１１２】
本実施の形態によれば、認証情報記録体５０がＲＦＩＤタグを含むため、認証情報記録体５０に対する電力供給は必要なく、また、簡易的にロック状態の解除をすることができる。
【０１１３】
また、本実施の形態実施に係る携帯端末１０は、ＩＤ情報を記録するための記録部１３０（ＲＡＭ１４）をさらに含み、ロック制御部１５６は、近距離通信制御部１５５および近距離通信部３００により取得されたＩＤ情報と、記録部１３０に記録されたＩＤ情報とが一致するか否かを判定し、当該近距離通信制御部１５５および近距離通信部３００により取得された認証情報と、当該記録部１３０に記録された認証情報とが一致すると判定した場合に、ロック状態を解除する。
【０１１４】
本実施の形態によれば、記録部１３０によって予めＩＤ情報を記録しておけば、当該記録していたＩＤ情報と取得したＩＤ情報とが一致するか否かに応じて、特定のユーザに対してのみロック状態を解除させることができる。
【０１１５】
また、本実施の形態実施に係る携帯端末１０は、近距離通信制御部１５５および近距離通信部３００により取得されたＩＤ情報と、記録部１３０に記録されたＩＤ情報とが一致するか否かの判定結果を表示するための液晶表示部１６０（液晶表示装置１６）をさらに含む。
【０１１６】
本実施の形態によれば、ロック状態を解除するための判定結果が液晶表示部１６０によって表示されるため、ユーザが液晶表示部１６０による表示を介して判定結果を確認することができる。
【０１１７】
また、本実施の形態実施に係る携帯端末１０において、ロック制御部１５６は、入力部１９０による入力の受付けを禁止することにより、特定処理の実行を禁止する。
【０１１８】
本実施の形態によれば、ユーザからの入力受付けが禁止されることにより、特定のユーザ以外に対してロック状態をかけることができる。
【０１１９】
また、本実施の形態実施に係る携帯端末１０のロック状態を解除するための方法は、ユーザからの入力を受付けるためのステップと、ユーザからの入力に対応して特定される特定処理を実行するためのステップと、特定処理の実行を禁止するためのステップと、特定処理の実行が禁止されたロック状態において特定処理を実行するための条件が成立したときに、ユーザが所有する認証情報記録体５０と近距離通信を行なうためのステップと、近距離通信によって、認証情報記録体５０に記録されているＩＤ情報を取得するためのステップと、取得されたＩＤ情報が正当である場合に、ロック状態を解除するためのステップとを含む。
【０１２０】
本実施の形態によれば、ユーザからの入力に対応して特定される特定処理の実行が禁止されるロック状態であっても、特定処理を実行するための条件が成立したときには、ユーザが所有する認証情報記録体５０と近距離通信が行なわれてＩＤ情報が取得され、当該ＩＤ情報が正当である場合にロック状態が解除される。これにより、特定処理を実行するための条件が成立したときに近距離通信できる範囲内でユーザが認証情報記録体５０を所有していれば、自動的にロック状態を解除することができるため、ユーザの利便性を向上させることができる。
【０１２１】
また、本実施の形態実施に係る携帯端末１０のロック状態を解除するためのプログラムは、携帯端末１０が備えるＣＰＵ１５に、ユーザからの入力を受付けるためのステップと、ユーザからの入力に対応して特定される特定処理を実行するためのステップと、特定処理の実行を禁止するためのステップと、特定処理の実行が禁止されたロック状態において特定処理を実行するための条件が成立したときに、ユーザが所有する認証情報記録体５０と近距離通信を行なうためのステップと、近距離通信によって、認証情報記録体５０に記録されているＩＤ情報を取得するためのステップと、取得されたＩＤ情報が正当である場合に、ロック状態を解除するためのステップとを実行させる。
【０１２２】
本実施の形態によれば、ユーザからの入力に対応して特定される特定処理の実行が禁止されるロック状態であっても、特定処理を実行するための条件が成立したときには、ユーザが所有する認証情報記録体５０と近距離通信が行なわれてＩＤ情報が取得され、当該ＩＤ情報が正当である場合にロック状態が解除される。これにより、特定処理を実行するための条件が成立したときに近距離通信できる範囲内でユーザが認証情報記録体５０を所有していれば、自動的にロック状態を解除することができるため、ユーザの利便性を向上させることができる。
【０１２３】
（変形例）
以上、本実施の形態を説明してきたが、上記の実施の形態に限られず、種々の変形、応用が可能である。以下、上記の実施の形態の変形例について説明する。
【０１２４】
本実施の形態においては、ロック制御部１５６が、近距離通信制御部１５５および近距離通信部３００により取得されたＩＤ情報と、記録部１３０に記録されたＩＤ情報とが一致するか否かを判定し、当該取得されたＩＤ情報と、記録部１３０に記録されたＩＤ情報とが一致すると判定された場合にロック状態を解除していた。しかしながら、たとえば、近距離通信部３００が、取得したＩＤ情報と、記録部１３０に記録されたＩＤ情報とが一致するか否かを判定し、当該取得されたＩＤ情報と、記録部１３０に記録されたＩＤ情報とが一致すると判定された場合に、ロック制御部１５６が、ロック状態を解除してもよい。
【０１２５】
このように、本変形例に係る携帯端末１０は、ＩＤ情報を記録するための記録部１３０（ＲＡＭ１４）と、近距離通信制御部１５５および近距離通信部３００により取得されたＩＤ情報と、記録部１３０に記録されたＩＤ情報とが一致するか否かを判定するための近距離通信部３００（ＲＦＩＤリーダ３０）とをさらに含み、ロック制御部１５６は、近距離通信部３００により、近距離通信制御部１５５および近距離通信部３００により取得された認証情報と、記録部１３０に記録された認証情報とが一致すると判定された場合に、ロック状態を解除する。
【０１２６】
これによれば、記録部１３０によって予めＩＤ情報を記録しておけば、当該記録していたＩＤ情報と取得したＩＤ情報とが一致するか否かに応じて、特定のユーザに対してのみロック状態を解除させることができる。
【０１２７】
また、本実施の形態においては、ロック制御部１５６が、入力部によるユーザからの入力受付を禁止することにより、特定処理の実行を禁止していた。しかしながら、たとえば、入力部によるユーザからの入力がされた場合でも、当該入力に基づく実行部１５３による特定処理の実行を無効化することにより、特定処理の実行を禁止するようにしてもよい。
【０１２８】
このように、本変形例に係る携帯端末１０において、ロック制御部１５６は、入力部１９０による入力が受付けられた場合でも、実行部１５３による特定処理の実行を無効化することにより、特定処理の実行を禁止する。
【０１２９】
これによれば、ユーザからの入力受付けが禁止されることにより、特定のユーザ以外に対してロック状態をかけることができる。
【０１３０】
また、本実施の形態においては、特定処理として、電話着信時の通話モードへの移行、メール受信時の受信メールモードへの移行、およびワンセグによるテレビ放送の視聴予約に対するアラーム報知時の視聴モードへの移行を例示した。しかしながら、特定処理は、たとえば、アドレス帳の閲覧、モバイルゲームなどのアプリケーションのダウンロード、保存された写真の閲覧などの処理であってもよい。
【０１３１】
また、本実施の形態においては、携帯端末１０の例としてタッチパネルを備えたスマートフォンを例示した。しかしながら、携帯端末１０は、たとえば、スマートフォン以外の携帯電話やＰＨＳ、タブレット型の小型コンピュータなどであってもよい。
【０１３２】
また、本実施の形態においては、携帯端末１０が液晶ディスプレイを用いた液晶表示装置１６を備えることを例示した。しかしながら、携帯端末１０は、たとえば、液晶ディスプレイに限らず、有機ＥＬ（Electro Luminescence)を利用した有機ＥＬディスプレイを用いた表示装置を備えていてもよい。
【０１３３】
また、本実施の形態においては、認証情報記録体５０は、ＲＦＩＤタグを含み、当該ＲＦＩＤタグを用いてＩＤ情報を記録して携帯端末１０と近距離通信を行なっていた。しかしながら、認証情報記録体５０は、たとえば、ＩＤ情報を記録でき、かつ携帯端末１０と近距離通信を行なうものであればいずれのものであってもよい。また、無線通信方式に限らず、有線による通信、もしくは人体を通信媒体として利用する人体通信などを行なうものであってもよい。また、認証情報記録体５０は、ＲＦＩＤタグのように、ユーザの所有物に簡易的に貼付けることができるものであれば、よりユーザの利便性が向上するため好ましい。さらに、認証情報記録体５０は、ＲＦＩＤタグのように、電力供給する必要なく携帯端末１０と近距離通信を行なうことが可能なものであれば、電池などの電力供給源の必要がないため、よりユーザの利便性が向上する。
【０１３４】
また、本実施の形態においては、認証情報記録体５０を腕時計のバンドに貼付けることを例示した。しかしながら、たとえば、ユーザの普段身につけるイヤリング、および指輪などに認証情報記録体５０を貼付けてもよい。なお、認証情報記録体５０をイヤリングに貼付けた場合は、着信時に携帯端末１０を耳に近付けるだけでロック状態を解除して通話モードに移行させることができるため、よりユーザの利便性が向上する。さらに、認証情報記録体５０を指輪に貼付けた場合は、携帯端末１０を握るだけでロック状態を解除することができるため、よりユーザの利便性が向上する。また、たとえば、財布の中に入っているＦＥＬＩＣＡ（登録商標）などの交通機関のＩＣカードを認証情報記録体５０として用いてもよい。この場合、着信時には携帯端末１０を一旦財布に近付けてからロック状態を解除し、その後ユーザの耳元に持ってくる必要があるため、その分時間が掛かる。そのため、ロック状態の解除から通話状態への移行時間を遅らせるように設定してもよい。
【０１３５】
なお、今回開示された実施の形態は全ての点で例示であって制限的なものではないと考えられるべきである。本発明の範囲は上記した説明ではなく特許請求の範囲によって示され、特許請求の範囲と均等の意味および範囲内での全ての変更が含まれることが意図される。
【符号の説明】
【０１３６】
１０  携帯端末、１１  タッチパネル、１６  ボタン、３０  ＲＦＩＤリーダ、５０  認証表示体。
【図１】
2013187879.tif 000003
【図２】
2013187879.tif 000004
【図３】
2013187879.tif 000005
【図４】
2013187879.tif 000006
【図５】
2013187879.tif 000007
【図６】
2013187879.tif 000008
【図７】
2013187879.tif 000009
【図８】
2013187879.tif 000010